(57)【特許請求の範囲】
【請求項１】
使用者の立位姿勢の身体（７）を傾斜させ、常時立位姿勢を保持する身体保持構造（１）であって、
前記身体保持構造（１）は、下半身当接部（２ａ）と、上半身当接部（２ｂ）と、足裏当接部（３）と、角変部（４）と、からなり、

前記下半身当接部（２ａ）は、平面形状の直面体に形成され、
前記上半身当接部（２ｂ）は、平面形状の直面体に形成され、
前記足裏当接部（３）は、平面形状の直面体に形成され、

前記下半身当接部（２ａ）は、一方に角変部（４）を形成し、前記上半身当接部（２ｂ）が連続して形成され、
前記下半身当接部（２ａ）は、他の一方に前記足裏当接部（３）が略直交して形成され、

前記下半身当接部（２ａ）は、前記下半身当接部（２ａ）と床面（６）によりなされる角度が、略０°の角度から略９０°の角度の範囲内に一つの角度を選択し形成され、

前記上半身当接部（２ｂ）は、前記下半身当接部（２ａ）を延長してなる仮想的な線によりなされる角度から上向き略９０°の角度の範囲内に一つの角度を選択し形成される

ように構成されている
ことを特徴とする前記身体保持構造（１）。
【請求項２】
前記身体当接部（２）は、前記角変部（４）に前記下半身当接部（２ａ）と前記上半身当接部（２ｂ）を可動させる角変部可動部（５）を形成し、
前記角変部可動部（５）は、前記下半身当接部（２ａ）を前記下半身当接部（２ａ）と前記床面（６）によりなされる角度が、略０°の角度から略９０°の角度の範囲内を自由に可動させ、
前記角変部可動部（５）は、前記上半身部当接部（２ｂ）を前記下半身当接部（２ａ）が延長してなる仮想的な線によりなされる角度から上向き略９０°の角度の範囲内を自由に可動させ、
前記下半身当接部（２ａ）は、前記下半身当接部（２ａ）と前記床面（６）によりなされる角度が、略０°の角度から略９０°の角度の範囲内を自由に選択し形成され、

前記上半身部当接部（２ｂ）は、前記下半身当接部（２ａ）を延長してなる仮想的な線によりなされる角度から上向き略９０°の角度の範囲内を自由に選択し形成される

ように構成されている
ことを特徴とする請求項１記載の前記身体保持構造（１）。
【発明の詳細な説明】
【技術分野】
【０００１】
本発明は、立位姿勢の身体を傾斜させ保持する構造に関する。            
【背景技術】
【０００２】
我々の身体は、現在も進化の過程に在り、変化し続けているが、個人の時間の中ではたいした問題は発生しない。
しかし、現在の生活環境は、進化の過程で構築された身体には過酷な環境であり、身体が対応出来ず、現代病と言われている数々の疾患を招いていると推察される。
例えば、私たちの日常は、椅子に座り歩かないないなどの、進化の過程で獲得した二足歩行の姿勢に相反する生活を続けている。
その結果、正しい姿勢を維持できず、肩こりや腰痛などを招き加齢と共にアンバランスな姿勢を加速させている。
つまり、現在の生活環境は、進化の過程で獲得した正常な姿勢を維持することが困難な環境下にあり、筋骨系のバランスが崩れる毎日である。
そこで、人々は、その不足を補う手段として、散歩、ジョキング、ヨーガ、体操、フィットネスなどの多種多様な対策を、意識せずに採用していると推察されるものである。
【０００３】
そもそも、我々の身体は、脳が拡大すると共に重い脳を支えるために、二本の足で立ち歩く身体へ進化し、現在の姿勢を獲得した。
また、立位姿勢は、両上肢が自由に使えるようになり、文明を享受している。
一方で、哺乳類の四足歩行に適応した体を９０°起こしたために、重力が背骨を上から押し圧するようになり、脊柱がＳ字構造に変化することで対処している。
この二足での立位姿勢は、高血圧、心臓病、椎間板ヘルニア、扁平足、難産などの人間に固有の疾病の原因と言われている各種の問題を抱えてしまった。
さらに、椅子に腰掛ける生活習慣は、狭い坐骨が下から重力を支える姿勢になるので上半身が不安定になり、腰周辺から肩や首までが過剰な筋緊張を招いている。
今日まで、身体の不調は、マッサージや鍼灸などの対処療法で曖昧に対処し、運動不足や加齢が原因であるとされてきたが、正確な座位姿勢の提唱や椅子構造の改良での対応もなされている。
一方、座位の習慣は、下半身の自由時間が増加すると共に歩行時間の減少が足腰の弱体化を加速させている。
特に近年は、座る時間が長くなり、坐骨と腰骨に掛かる負担が増加し、マッサージの需要の拡大やマッサージ器具の販売など、腰や肩や首の不調が蔓延し、頭痛や精神疾患の原因であるとの指摘もある。
つまり、背骨を直立させた身体構造は、人工的な生活環境と本来の正常な身体との対立が持続し、重力の影響が現在も進行形であるものと推察される。
近年、正しい姿勢と正しい歩行が問題視され、多様な対応手段が唱えられている。
しかし、我々が解決しなければならない問題は、身体を鍛えることは当然であるが、鍛えなければならない身体にした原因を見つけ解決することも必要である。
【０００４】
そこで、立位姿勢で凭れる装置の提案がなされている。（特許第４７９１５１５号公報）
この提案は、台座にポールを立てポール部に背中から腰部を凭れさせる装置の提案である。
しかし、短時間の休息を目的とするものであり、凭れる使用形態に新規性を認めるものであるが、ただ凭れるだけでの使用でありそれ以上の視点が望まれる。
【先行技術文献】
【特許文献】
【０００５】
【特許文献１】特許第４７９１５１５号公報
【発明の概要】
【発明が解決しようとする課題】
【０００６】
まず、一般に正しい姿勢の確認は、壁に身体を押し付け、腰の部分に丸めた手が入る状態が正常な姿勢であると言われている。
また、正しい寝姿勢は、直立時の姿勢であると言われている。
つまり、姿勢の基準は、壁を基本面として採用し、壁の垂直面に対して身体の重心軸が平行していると想定し、相対させことで正常な姿勢であることを確認している。
また、我々の二足歩行の特徴は、他の哺乳類の背骨が床面に向かってカーブした弧状であるのに対して、人間の脊柱は直立に適応した頸椎のＳ字カーブが重い頭部を支え、腰椎のＳ字カーブが二足歩行を実現し、一つの大きな背骨のＳ字カーブを構成することで、二足での直立と歩行を保証する優れた構造を獲得している。
【０００７】
今日の我々の身体は、大地の上を裸足で立ち、回りを見渡し、しゃがみ、歩く等の自然な生活をもとに進化した柔軟な身体を獲得した。
しかし、現在、我々の環境は、机に座り、乗り物に乗り、家事やスポーツ、仕事などの画一的な動作の毎日であり、元来の自由で自然な動作が出来ない環境下に生活している。
現在の生活環境は、元来の身体がもつ柔軟性を阻害し、歪め、壊し、固めるなどアンバランスな姿勢を強要するシステムで構成されている。
その結果、我々の身体は、猫背、肩こり、肥満、腰痛、腰曲がり、Ｏ脚、ストレートネック、などの多くの不調を抱え、精神面にも影響していると指摘されている。
【０００８】
まず、直立時には、常に重力が頭から足に向けて押し圧し、それに対抗して足から頭に反発する床反力で対抗する中間を重心と言い、身体が倒れように反射的反応である身体の動揺が働いて重心を維持している。
また、人間は、二本の足で立つ選択をした結果、倒れないために前屈みの姿勢になるが、筋骨系を総動員して身体を背部で引っ張っている反射的な運動で常時転倒を防止している。
そもそも、我々は、二本の足で立ち歩いていることの不思議さを意識さえしていない。
現実の生活は、各個人の癖のある姿勢が筋骨系のバランスを壊し、アンバランスな姿勢での生活が身体の動揺を拡大させ代謝熱量を増大させている。  
つまり、疲れる。
原因は、腰掛ける構造にあると推察するものである。
おもそも、我々の身体構造は、腰掛けることに対応していないことは、多種多様なデザインの椅子が開発され続けていることで証明されていて、長時間の座位姿勢を続けることが身体に数々の悪影響を及ぼしていることは自明である。
【０００９】
一方、横臥時は、身体全体に重力が覆い被さり、身体が一体となって対抗するのではなく各体節単位で対応している。
例えば、横臥姿勢で腹筋運動をすると腹筋は強化されるが逆に腰椎に負担が集中し損傷してしまう。
また、睡眠は、筋肉系の衰えや不適切な寝具が原因となり、重力が自由な姿勢への転換である寝返りに影響し、浅い睡眠の繰り返しが睡眠不足を招き、代謝熱量を増大させている。
この不眠の問題は、年齢に関係せず現在の社会問題として一般化している。
つまり、我々の生活は、立っても、座っても、寝ても常に重力の影響下にあり、アンバランスな姿勢で対抗し続けている以上、十分で安心出来る休息を得ることは不可能であろう、と推察するものである。
【００１０】
まず、筋肉と骨は別組織であり、骨はブロック状をなし、個々の骨が靱帯及び筋肉で不完全に連結されている。
一方、筋肉は、骨のブロックが倒れ無いように覆い支えている。
つまり、骨は曲がることは無く、筋肉が正常に支えられない骨の変調が示す姿勢を猫背などと表現し、このようなアンバランスな姿勢に対して我々は不快感をおぼえる。
また、姿勢の不調は、多くの疾患の原因であると指摘され、さらに、精神的疾患にも影響を与えていると認識されている。
昨今のヨーガに対する世界的な関心は、潜在的な姿勢に対する危機意識の表れではないだろうか。
また、ランニングやフィットネス施設での鍛錬の欲求は、長時間の座位姿勢での作業が身体に悪影響を与えていることに対する防衛的反応であると推察するものである。
【００１１】
現在、我々は、重力に対抗する筋力の創造と維持に努力しているが、個人として対応するには時間的にも経済的にも対応できる人は限定されている。
そもそも、我々の身体は、生活習慣が原因で筋骨系のバランスを壊し、徐々に身体の歪みを創ってしまい、正常な立位姿勢を維持し保持し続けることが出来ない身体に固定化されていることを自覚することが求められている。
そこで、我々は、壁に身体を押し付けることで正常な姿勢を確認している。
しかし、身体の各部分を壁に押しつける作業は、他人に依存するしかなく、そもそも立位姿勢の状態で壁に身体を押し付けても姿勢の状態を確認するだけである。
つまり、立位姿勢時は、常に背部に牽引し前に倒れない筋緊張状態にあり、身体は常に動揺し立位姿勢を反射的に維持しているので、立位姿勢での鍛錬は効率的ではない。
【課題を解決するための手段】
【００１２】
使用者の立位姿勢の身体（７）を傾斜させ、常時立位姿勢を保持する身体保持構造（１）であって、
前記身体保持構造（１）は、下半身当接部（２ａ）と、上半身当接部（２ｂ）と、足裏当接部（３）と、角変部（４）と、からなり、

前記下半身当接部（２ａ）は、平面形状の直面体に形成され、
前記上半身当接部（２ｂ）は、平面形状の直面体に形成され、
前記足裏当接部（３）は、平面形状の直面体に形成され、

前記下半身当接部（２ａ）は、一方に角変部（４）を形成し、前記上半身当接部（２ｂ）が連続して形成され、
前記下半身当接部（２ａ）は、他の一方に前記足裏当接部（３）が略直交して形成され、
前記下半身当接部（２ａ）は、前記下半身当接部（２ａ）と床面（６）によりなされる角度が、略０°の角度から略９０°の角度の範囲内に一つの角度を選択し形成され、

前記上半身当接部（２ｂ）は、前記下半身当接部（２ａ）を延長してなる仮想的な線によりなされる角度から上向き略９０°の角度の範囲内に一つの角度を選択し形成される

ように構成されている
ことを特徴とする前記身体保持構造（１）。
【００１３】
前記身体当接部（２）は、前記角変部（４）に前記下半身当接部（２ａ）と前記上半身当接部（２ｂ）を可動させる角変部可動部（５）を形成し、
前記角変部可動部（５）は、前記下半身当接部（２ａ）を前記下半身当接部（２ａ）と前記床面（６）によりなされる角度が、略０°の角度から略９０°の角度の範囲内を自由に可動させ、
前記角変部可動部（５）は、前記上半身部当接部（２ｂ）を前記下半身当接部（２ａ）が延長してなる仮想的な線によりなされる角度から上向き略９０°の角度の範囲内を自由に可動させ、
前記下半身当接部（２ａ）は、前記下半身当接部（２ａ）と前記床面（６）によりなされる角度が、略０°の角度から略９０°の角度の範囲内を自由に選択し形成され、

前記上半身部当接部（２ｂ）は、前記下半身当接部（２ａ）を延長してなる仮想的な線によりなされる角度から上向き略９０°の角度の範囲内を自由に選択し形成される

ように構成されている
ことを特徴とする請求項１記載の前記身体保持構造（１）。
【００１４】
本発明は、立位姿勢と横臥姿勢の間に視点を移し、壁に当接している身体を壁と共に倒し、立位姿勢時の身体の動揺から開放すことを発見するものである。
現在の生活環境は、立位姿勢と横臥姿勢との間には、座位姿勢しかなく、休息する装置を椅子構造が支えている。
しかし、椅子構造は、身体に対して適切な構造でないことは多くの腰部疾患が示していることで確認出来るものである。
本発明は、椅子の持つ腰掛ける構造の問題点を解決することを特徴とするものである。
【００１５】
本発明は、身体を立位姿勢で凭れさせ、凭れた状態の身体を傾斜させることで身体の動揺から開放するものである。
さらに、立位姿勢で凭れた身体は、身体と足裏に重力を分割させ、傾斜角度の選択が重力の比率を調整するので、個々人の身体状態に対応する重力が身体を矯正させることを特徴とするものである。
【００１６】
本発明の身体保持構造は、身体が当接部に凭れることを前提とするが、立位姿勢や横臥姿勢では凭れることが出来ないことを表現するために、身体が床面によりなされる角度が、略０°の角度から略９０°の角度の範囲の角度とするものである。
つまり、９０°は身体の立位姿勢の角度を示し、０°は身体の横臥姿勢を示すものであり、凭れることが出来ない角度を示すものである。
本発明は、身体を床面によりなされる角度が、略０°の角度から略９０°の角度と表現するものである。
つまり、本発明の身体保持構造は、身体が当接部に凭れることを前提とするものであり、立位姿勢や横臥姿勢では凭れることが出来ないことを示すものである。
【発明の効果】
【００１７】
本発明の凭れる構造の効果は、腰掛ける構造から凭れる構造に転換したので、立位姿勢時の身体の動揺から開放し、代謝熱量を軽減するので、疲れない健康な身体を実現するものである。
例えば、椅子やソファーなどで休息しているが、座位姿勢でも身体は動揺しているので、反射的に代謝熱量を消費していることを軽減するものである。
本発明の凭れる構造の効果は、身体に掛かる重力を身体と足裏に分散させるので、アンバランスな姿勢に対して重力が矯正することを実現するものである。
例えば、凭れた立位姿勢の身体に重力が押し圧し矯正するものである。
本発明の凭れる構造の効果は、当接部を上半身と下半身に分割したので、当接部を上半身と下半身のそれぞれに掛かる重力を選択することを実現するものである。
例えば、リクライニング仕様の椅子は、上半身部分と座面部分と下半身部分がそれぞれ変角し多様の姿勢に対応するが、重力は主に座面部分掛かかり腰に負担が集中するので疲れてしまうことを解消するものである。
本発明の凭れる構造の効果は、凭れる姿勢への転換が、坐骨を圧迫しないので腰や首など疾患を発生させないので健康的な身体を実現するものである。
例えば、現在の机と椅子で構成される家具全般、公共空間に配置されている椅子やベンチ、車両用椅子やベンチなどのデザインが更新され新しい空間を出現させるものである。
本発明の凭れる構造の効果は、凭れる姿勢が個人の空間を確保できる構造を実現するものである。
例えば、航空機の座席や車両用椅子の場合、使用者どうしの接触の不快感を解消し、立位姿勢で使用するので脚や足が通路にはみ出すことを防止する空間を実現するものである。
【図面の簡単な説明】
【００１８】
【図１】図１は、本発明の身体保持構造１の技術的思想を説明する説明図である。        図１−１は、壁６ａと平行する身体７の立位姿勢及び重心線７ｂを示す断面図である。図１−２は、床面６に在る身体７の横臥姿勢を示す断面図である。図１−３は、身体保持構造１が６０°と８０°で形成される例を示す断面図である。図１−４は、身体保持構造１の角度と重力の関係を示すグラフである。図１−５は、図１−３に示す身体保持構造１の例を示す斜視図である。
【図２】図２は、本発明の身体保持構造１の基本構造１である角変部４を説明する断面図である。
【図３】図３は、本発明の身体保持構造１の基本構造２である角変部可動部５を説明する断面図である。
【図４】図４は、実施例１である、角変部４で形成される身体保持構造１を壁ベンチとして使用する例を示す断面図である。        図４−１は、角変部４で形成される身体保持構造１の例を示す壁ベンチ１３の斜視図である。        図４−２は、角変部４で形成される身体保持構造１の例を示す壁ベンチ１４の側面図である。
【図５】図５は、実施例２である、角変部４で形成される身体保持構造１を車両用の座席１５として使用する例を示す断面図である。
【図６】図６は、実施例３である、角変部可動部５で形成される身体保持構造１を椅子１６として使用する例を示す断面図である。
【図７】図７は、実施例４である、角変部可動部５で形成される身体保持構造１を作業支持台１７として使用する例を示す断面図である。
【図８】図８は、実施例５である、角変部可動部５で形成される身体保持構造１を姿勢矯正装置１８として使用する例を示す断面図である。
【図９】図９は、実施例６である、角変部可動部５で形成される身体保持構造１を介護用シャワー装置１９として使用する例を示す断面図である。
【図１０】図１０は、実施例７である、角変部可動部５で形成される身体保持構造１を睡眠装置２０として使用する例を示す断面図である。
【発明を実施するための形態】
【００１９】
今日まで、身体の休息は、しゃがむ姿勢やあぐらをかく姿勢から椅子に座る姿勢に変化
し、究極は横になる姿勢であるが、どの状態下においても常に重力の影響下にある。
また、身体は、腰掛ける姿勢に適応できていないために椅子に腰掛けている姿勢でも上半身は常に前後左右に動揺し重い頭部の動揺を相殺していが、意識されることはない。
そもそも、近年の道具である椅子構造は、座面と坐骨との関係が不安定であり、特に背もたれに凭れる座位姿勢は坐骨が前に倒れてしまい、上半身の姿勢を壊してしまう。
本来、立位姿勢時の代謝熱量は、座位姿勢時より少なく、立位姿勢時のほうが休息には向いているはずであるが、何故か座り疲れてしまう。
そこで、立位姿勢でもなく横臥姿勢でもない、凭れる姿勢で対応するが、単に凭れる姿勢は、立位姿勢の動揺から開放されず、立位姿勢が壊れ足元が不安定になり、姿勢の保持は短時間に限られてしまう。
【００２０】
本発明の身体保持構造１は、立位姿勢を傾斜させ、身体７が凭れ当接する身体当接部２と足裏８が当接する足裏当接部３を略直交させる構造を特徴とするものである。
つまり、立位姿勢を維持しながら凭れさせることで身体の動揺から開放し、新規の休息姿勢を実現するものである。
さらに、身体７と足裏８に重力を分割させるので、凭れる角度がより掛かる重力の比率を決定するので、各個人の身体の状態に対応する重力がアンバランスな姿勢を矯正するものである。
本発明の身体保持構造１は、腰掛ける椅子の構造を異なる視点から鑑みたものである。
【００２１】
以下に、図１，図２、図３、図４、図５、図６、図７、図８、図９、図１０を用いて、本発明の身体保持構造１を詳細に説明する。
また、本発明は、頭部９ａ及び首部９ｂを含む腰部１０から上部を上半身９と言い、腰部１０から下部の脚部１１ａ及び足部１１ｂを下半身１１と言い足裏８を含む。
また、本実施は、本発明を説明し、適用する例の一部を示すものであり、本実施例に特定も限定もするものではなく、本発明の技術的思想を損なわなければ良い。
【００２２】
まず、図１を用いて本発明の身体保持構造１の技術的思想を説明する。
図１−１は、壁６ａと平行する身体７の立位姿勢及び重心線７ｂを示す断面図である。
図１−２は、床面６に在る身体７の横臥姿勢を示す断面図である。
図１−３は、身体保持構造１が６０°と８０°で形成される例を示す断面図である。
図１−４は、身体保持構造１の角度と重力の関係を示すグラフである。
図１−５は、図１−３に示す身体保持構造１の例を示す斜視図である。
【００２３】
次に、本発明の身体保持構造１は、立位姿勢の身体７が身体当接部２に凭れることを前提とするものであり、立位姿勢や横臥姿勢では凭れることが出来ないことを表現するために、身体７と床面６とを示す角度である０°と床面６と直交を示す角度である９０°の範囲の角度と表現するものである。
つまり、９０°は、身体７が基本的立位姿勢を示す角度であり身体当接部２には凭れていない状態を表現するものである。
また、０°は、身体７が横臥姿勢を示す角度でありの身体当接部２には凭れられない状態を表現するものである。
本発明は、身体７が身体当接部２に凭れことを特徴とするものであり、凭れることが出来る角度の範囲を、床面に対し略０°の角度から略９０°の範囲の角度と表現するものである。
また、身体７が身体当接部２に凭れることは、身体７の前面及び後面及び側面など身体７全体を対象とするものであり特定するものではないが、一般的には後面が当接することを前提として説明するものである。
【００２４】
次に、図１−１に示す側面図は、立位姿勢時の身体７は床面６から９０°を示し、身体７に想定される重心線７ｂが壁６ａと平行している例を示すものである。
また、図１−１に示す立位姿勢は、頭部９ａから重力が１００％加重されている。
しかも、身体７は、重い頭部９ａを二本の足部１１ｃで支え倒れないように、身体７は常に運動し身体の動揺と言われる反射機構が各体節を統合して制御することで立位姿勢を維持し、現実的には９０°ではなく、あくまでも理論値であることは当然である。
【００２５】
次に、図１−２に示す側面図は、横臥姿勢時の身体７は０°を示し、身体７が床面６に当接し、身体７の各体節に重力がそれぞれ１００％加重されていることを示すものであり、各体節は統一的に制御された筋骨系ではなく、各体節がそれぞれの重力に対応していることを示すものである。
つまり、立位姿勢時は、身体７の動揺で各体節を維持し保持する運動の基に統合されているが、横臥姿勢では各体節それぞれが独立して重力に対処している。
例えば、一つの体節が受ける重力の位置を転換する場合には、各体節が独自に動作しそれぞれが位置の変更をしていることを寝返りと言い、各体節が重力対応し調整しているに過ぎずない。
【００２６】
次に、図１−３に示す側面図は、本発明の身体保持構造１に身体７が当接している例を示すものである。
また、図１−３に示す側面図は、身体当接部２が下半身当接部２ａと上半身当接部２ｂは角変部４で分割されている例を示すものである。
また、図１−３に示す側面図は、下半身当接部２ａが約６０°、上半身当接部２ｂが約８０°を示し、足裏８が当接する足裏当接部３と略直交している例を示すものである。
この際に、身体７には約２０％、足裏８には約８０％の重力が掛かってると想定される。
【００２７】
次に、図１−４に示す図は、縦軸が身体７の角度を示し、横軸が身体７に掛かる重力を示すものである。
また、図１−４に示す図は、本発明の身体保持構造１に身体７が凭れる角度と、凭れる
身体７に掛かる重力をグラフに示すものである。
つまり、重力は、身体当接部２の身体７と足裏当接部３の足裏８に分散され、傾斜角度
が重力の範囲を変化させることを示すものである。
例えば、単純に９０°の立位時には、足裏８に約１００％の重力量が掛かり、約８０°に傾斜させた場合には身体７に約１７％、足裏８に約８３％が、約６０°に傾斜させた場合には身体７に約４８％、足裏８に約５２％が、約３０°に傾斜させた場合には身体７に約８６％、足裏８に約１４％がそれぞれ負荷していると想定される。
この際に、身体当接部２は、下半身当接部２ａと上半身当接部２ｂの各角度の選択により様々な数値を示すものであり、ここで具体的な数値を示すものではない。
つまり、本発明の身体保持構造１は、凭れる使用形態が身体の動揺から開放し、傾斜角度を選択することで身体７と足裏８に掛かかる重力が選択され、身体７と足裏８に掛かる重力を加減することで、各人各様なアンバランス姿勢を各人各様の身体７の状態に対応する角度を選択することで正常な身体を獲得するものである。
以上に、身体７が受ける重力と足裏８が受ける重力の関係を示し説明しているが、この数値に特定も限定もするものではなく、あくまでも想定値を基に説明するものである。
【００２８】
次に、図１−５に示す斜視図は、本発明の身体保持構造１に身体７が当接している例を示す斜視図ものである。
また、図１−５に示す斜視図は、ソファー形状を示めす身体当接部２に身体７が凭れた状態を示し、足裏８が足裏当接部３に当接し身体７の自重を捉えている状態を示すものであり、本発明の特徴である身体当接部２と足裏当接部３が略直交している例を示すものである。
【００２９】
本発明の身体保持構造１は、身体当接部２に足裏当接部３を略直交させ、立位姿勢を保持することを前提に考察するものであり、身体７が裸足であることを前提とするものである。
つまり、履き物を使用した身体７は、履き物の底構造の状態が一様でなく、極端な傾斜角度を有する履き物を使用している状態では、本発明の技術的思想を損なう恐れがある。
そこで、履き物の内部の傾斜が極端な場合には、足裏８と身体当接部２が略直交している状態を作り出すことが求められ、そのためには足裏当接部３を傾斜させる手段を備えるか履き物を脱いで使用することは当然であり、ここに明記するものである。
また、足裏８が足裏当接部３に当接すると記述しているが、あくまでも技術的思想を説明するものであり、履き物を履いて使用することは当然である。
【００３０】
次に、本発明の身体保持構造１は、構造を発明するものである。
例えば、コンクリートの壁６ａに凸状や凹状に形成され、公園に形成され、駅のホームに形成され、電車の座席に形成され使用されるなど、公的な空間での使用に必要な安価で強度が要求される使用形態に対応する、それぞれに好適な角度が選択されるものである。
また、本発明の身体保持構造１は、適用範囲をここで特定するものではない。
また、本発明の身体保持構造１は、身体７及び足裏８を受け止め略直交させる強度の素材を使用することは当然であり、既存の素材から好適に採用されるものであり特定するものではない。
また、本発明の身体保持構造１は、形状など特定するものではなくデザイン性などを考慮し自由な形状に形成することは当然である。
また、本発明の身体保持構造１は、身体当接部２と足裏当接部３は略直交することを特徴とするものであり、足裏８が裸足であることを前提とする角度であるが、特定するものではなく使用者が常に履き物を履いていることは当然である。
【００３１】
まず、図２を用いて本発明の身体保持構造１の基本構造１を説明する。
また、本発明の身体保持構造１は、使用者の立位姿勢の身体７を傾斜させ凭れさせた状態を保持することで身体７の動揺から開放し、身体７が受ける重力を身体７と足裏８に分散させることを特徴とするものである。
また、本発明の身体保持構造１は、使用者の身体７が当接する身体当接部２と、使用者の足裏８が当接する足裏当接部３が略直交して形成されていることを特徴とするものである。
また、身体当接部２は、使用者の身体７が凭れられる面積や強度を有し、身体７が凭れられる形状であることは当然であり特定するものではない。
また、足裏当接部３は、使用者が立位姿勢で当接する面積や強度を有し、足裏８の大きさより大きく形成することは当然であり特定するものではない。
また、身体７の仙骨部７ａが位置する部分に角変部４を形成し、角変部４が身体７の上半身９が当接する上半身当接部２ｂと、下半身１１が当接する下半身当接部２ａに分割していることを特徴とするものである。
また、身体当接部２に形成する角変部４は、身体７を前屈させることを容易にする部分に形成されることは当然であり、身体７の仙骨部７ａが位置する部分であると表現するものである。
また、前記下半身当接部（２ａ）は、前記下半身当接部（２ａ）と床面（６）によりなされる角度が、略０°の角度から略９０°の角度の範囲内に一つの角度を選択し形成され、
前記上半身当接部（２ｂ）は、前記下半身当接部（２ａ）を延長してなる仮想的な線によりなされる角度から上向き略９０°の角度の範囲内に一つの角度を選択し形成される。
また、前記下半身当接部（２ａ）は、一方に角変部（４）を形成し、前記上半身当接部（２ｂ）が連続して形成されることを特徴とするものである。
【００３２】
次に、図２に示す断面図は、前記下半身当接部（２ａ）は、一方に角変部（４）を形成し、前記上半身当接部（２ｂ）が連続して形成され、
前記下半身当接部（２ａ）は、他の一方に前記足裏当接部（３）が略直交して形成されている例を示し、
前記下半身当接部（２ａ）は、前記下半身当接部（２ａ）と床面（６）によりなされる角度が、略０°の角度から略９０°の角度の範囲内に形成され、
前記上半身当接部（２ｂ）は、前記下半身当接部（２ａ）を延長してなる仮想的な線によりなされる角度から上向き略９０°の角度の範囲内に形成されるものである。
また、本発明は、下半身当接部２ａが前記下半身当接部（２ａ）と床面（６）によりなされる角度が、略０°の角度から略９０°の角度の範囲内に一つの角度を選択し形成され、
前記上半身当接部（２ｂ）は、前記下半身当接部（２ａ）を延長してなる仮想的な線によりなされる角度から上向き略９０°の角度の範囲内に一つの角度を選択し形成されるものである。
また、図２のａは、下半身当接部２ａの角度Ａが床面６の＜０°から約１０°の角度内の例を示し、上半身当接部２ｂの角度Ｂが下半身当接部２ａの角度から上向き略鉛直の角度内の例を示すものである。
また、図２のａは、前記下半身当接部（２ａ）が前記下半身当接部（２ａ）と床面（６）によりなされる角度が、略０°の角度から略１０°の角度の範囲の例を示し、上半身当接部２ｂが前記下半身当接部（２ａ）と床面（６）によりなされる角度が、略０°の角度から略９０°の角度から上向き略９０°の角度の範囲内に形成さている例を示すものである。
また、図２のｂは、前記下半身当接部（２ａ）が前記下半身当接部（２ａ）と床面（６）によりなされる角度が、略０°の角度から略２５°の角度の範囲の例を示し、上半身当接部２ｂが前記下半身当接部（２ａ）と床面（６）によりなされる角度が、略０°の角度から略９０°の角度から上向き略９０°の角度の範囲内に形成さている例を示すものである。
また、図２のｃは、前記下半身当接部（２ａ）が前記下半身当接部（２ａ）と床面（６）によりなされる角度が、略０°の角度から略５５°の角度の範囲の例を示し、上半身当接部２ｂが前記下半身当接部（２ａ）と床面（６）によりなされる角度が、略０°の角度から略９０°の角度から上向き略９０°の角度の範囲内に形成さている例を示すものである。
また、図２のｄは、前記下半身当接部（２ａ）が前記下半身当接部（２ａ）と床面（６）によりなされる角度が、略０°の角度から略８０°の角度の範囲の例を示し、上半身当接部２ｂが前記下半身当接部（２ａ）と床面（６）によりなされる角度が、略０°の角度から略９０°の角度から上向き略９０°の角度の範囲内に形成さている例を示すものである。
また、図２に示すように、本発明の身体保持構造１は、下半身当接部２ａと床面（６）によりなされる角度が、略０°の角度から略８０°の角度の範囲
から上向き略９０°の角度の範囲内に形成さる上半身当接部２ｂの角度の範囲が限定されることを特徴とするものである。
【００３３】
まず、図３を用いて本発明の身体保持構造１の基本構造２を説明する。
また、図３に示す身体保持構造１は、図２に示した基本構造１の角変部４を可動させる角変部可動部５を形成し、自由に角度を選択出来ることを特徴とするものである。
また、角変部可動部５は、下半身当接部２ａを前記下半身当接部（２ａ）と前記床面（６）によりなされる角度が、略０°の角度から略９０°の角度の範囲内を自由に可動させ、
角変部可動部５は、上半身当接部２ｂを前記下半身当接部（２ａ）と前記床面（６）によりなされる角度が、略０°の角度から略９０°の角度の範囲内を自由に可動させることを特徴とする。
【００３４】
次に、図３に示す断面図は、身体当接部２に形成される角変部可動部５が下半身当接部２ａと上半身当接部２ｂに分割し、床面（６）によりなされる角度が、略０°の角度から略９０°の角度の範囲を示し、下半身当接部２ａの角度から上半身当接部２ｂが、前記下半身当接部（２ａ）が延長してなる仮想的な線によりなされる角度から上向き略９０°の角度の範囲を示すものである。
また、本発明は、下半身当接部２ａが床面（６）によりなされる角度が、略０°の角度から略９０°の角度の範囲と、上半身当接部２ｂが、前記下半身当接部（２ａ）が延長してなる仮想的な線によりなされる角度から上向き略９０°の角度の範囲から好適な角度が選択され形成することを特徴とするものである。
また、図３に示すように、本発明の身体保持構造１は、下半身当接部２ａの角度を基に上半身当接部２ｂの角度の範囲が限定されることを特徴とするものであります。
【実施例１】
【００３５】
そもそも、立位姿勢時の代謝熱量は、座位姿勢時の代謝熱量よりも低いと言われているが、何故、椅子に座る休息をしてしまうのだろうか。
現在、私たちの運動不足や腰掛ける生活環境は、筋肉を弱体化させ、姿勢を壊し、アンバランスな筋骨系が身体を疲れさせ、睡眠を阻害し、日々の疲労が蓄積する毎日である。
つまり、身体は、過度に疲労している状態であり、アンバランスな姿勢が消費する代謝熱量を拡大させていると推察される。
そこで、正常な身体を取り戻すために、多種多様な運動やストレッチ、ヨーガなどの努力で対応しているが、持続することは非常に困難を伴っている。
【００３６】
一般に公共空間における休息手段は、ベンチが使用され、多種多様なデザインのベンチが使用されている。
しかし、正常な座位姿勢を維持した状態を持続出来る使用者はまれであり、次第に姿勢は崩れ、脚や足が散乱し、左右の他者との接触にイラツキ、休息の装置としてはあまり機能しているとは思えない。
問題は、椅子の構造が身体に対して適していない構造である事実に対しての認識が無く、
基本的な視点からの検証がなされていないことにあると推察するものである。
つまり、身体７に対する椅子の持つ不完全な構造は、暗黙的に共有されず、腰掛けることへのこだわりを捨てることが出来ずに、今日に至っている。
そもそも、座位姿勢は、腰掛ける体位が坐骨を圧迫するので腰部が不安定になり、不安定な腰部に重力が集中し、重い頭部と近いために上半身の動揺は大きく、坐骨が圧迫され続ける姿勢の維持は苦痛を伴い長時間の座位姿勢は不合理な姿勢であり、ただ、盲目的に人間工学で対処している。
さらに、座位姿勢は、脚部及び足部が自由に動作出来るので上半身を不安定になり、総合すると代謝熱量が増大し休息も一時的な効果でしかなく、休息自体がもはや休息にならず、次第に疲労が蓄積されてしまう事実は多種多様なマッサージ器具が証明している。
今日まで、椅子やソファーなどの改良が日々続けられ今日に至っているが、腰掛ける構造そのものを問う視点はなかった。
私たちは、残念なことに、進化の過程である幼児期から腰掛けることを意識することもなく続け、加齢と共に腰から背中から首に至る疾患が蔓延しているにも係わらず、腰掛ける習慣を疑問視することはない。
【００３７】
本発明の身体保持構造１は、公的な空間で使用されている休息する手段である椅子やベンチの構造を根底から検証し、身体に対応する休息装置を提供するものである。
本発明の身体保持構造１は、構造を特徴とするものであり、実施例に示す例に特定も限
定もするものではなく、本発明の技術的思想を損なわなければ良い。
また、本発明の身体保持構造１は、適用する対象の構造の変革に寄与する構造であり、
多様なデザインが期待されるものである。
【００３８】
次に、図４を用いて実施例１である、角変部４で形成される身体保持構造１を壁ベンチ
として使用する例を説明する。
図４−１は、角変部４で形成される身体保持構造１の例を示す壁ベンチ１３の斜視図で
ある。
図４−２は、角変部４で形成される身体保持構造１の例を示す壁ベンチ１４の側面図で
ある。
【００３９】
次に、図４−１に示す壁ベンチ１３は、通路やビルの内外の側面、駅のホームや地下
道などの壁６ａの側面に凸形成している身体保持構造１の例を示す略斜視図である。
また、図４−１に示す壁ベンチ１３は、壁６ａの側面に凸形状に形成し、下半身当接部２ａが床面６から約６０°、上半身当接部２ｂが約８０°の角度を採用している例を示すものであるが角度を特定するものではない。
また、足部当接部３は、身体当接部２と略直交して形成している例を示すものである。
また、図４−１に示す壁ベンチ１３は、使用者が立位姿勢で凭れる使用形態が身体の
動揺から開放し、重力を身体７と足裏８に分散させる腰掛けない構造であり、坐骨を圧迫しない身体７の保持構造を提供するものである。
また、図４−１に示す壁ベンチ１３は、角変部４から下半身当接部２ａと上半身当接部２ｂに分割しそれぞれの長さが左右異なる仕様を示しているが、使用者の異なる身長に対応する例を示している。
このように本発明の身体保持構造１は、基本構造を基にデザイン性を発揮し好適な仕様形態のベンチが形成出来るものであるが本実施例に特定するものではない。
また、図４−１に示す壁ベンチ１３は、壁６ａの側面に凹形状に形成しても良く、特定するものではない。
また、図４−１に示す壁ベンチ１３は、身体当接部２の角度はあらかじめ任意の角度が選択され、使用者が複数名横に並んで使用する開放的で短時間の使用に好適な仕様を示すものである。
また、図４−１に示す壁ベンチ１３は、既存のベンチが使用される際の使用者の脚部１１ｂや足部１１ｃが通路側に進出する無秩序な状態を解消するものである。
また、図４−１に示す壁ベンチ１３は、六つの手すり部１３ａを形成し、便利性の向上の例を示すものであるが、特定するものではない。
また、図４−１に示す壁ベンチ１３は、使用者の使用する位置を示すと共に身体７の中心を示す凸状の点を六つ形成し、使用者が重心線７ｂを関知出来るガイドとして形成している例を示しているが特定するものではない。
また、図４−１に示す壁ベンチ１３は、中心線１３ｂが弾性素材のものを使用している例を示しているが特定するものではなく、大きさや形状なども特定するものではなく、使用者に違和感を与える形状及び素材を使用しないことは当然である。
また、図４−１に示す壁ベンチ１３は、設置角度や形状など多彩なデザインを採用することが好ましく特定するものではない。
【００４０】
次に、図４−２に示す壁ベンチ１４は、下半身当接部２ａが床面６から約６０°の角度に固定し、上半身当接部２ｂの角度が下半身当接部２ａの角度から床面６から約８０°の角度に固定し、上半身当接部２ｂと前記下半身当接部２ａが連続して形成されている例を示しているが、この角度に特定するものではない。
また、上半身当接部２ｂや下半身当接部２ａは、角変部４で分割され、それぞれの長さは使用者の身長に対応するために複数の長さから構成されることが好ましい。
また、図４−２に示す壁ベンチ１４は、この使用形態が使用者の上半身９が傾いた姿勢に抵抗感を覚えることに対応するものであり、下半身当接部２ａと上半身当接部２ｂの角度など好適な角度を採用することは当然である。
また、図４−２に示す壁ベンチ１４は、足裏８が当接する足裏当接部３は、身体７が当接する身体当接部２と略直交して形成されている。
また、図４−２に示す壁ベンチ１４は、壁６ａの側面に凸形状に形成しても良く、特定するものではない。
また、図４−２に示す壁ベンチ１４は、使用者の側面を示し一人で使用する空間を確保する仕様であるが特定するものではない。
また、図４−２に示す壁ベンチ１４は、使用者が正面を向く形状に形成しても良く特定するものではなく、ここで説明はしない。
また、手すり部１４ａを形成している例を示し、使用者の便利性を考慮するものであり、既存の好適な手段を採用することは当然である。
また、図４−２に示す壁ベンチ１４は、形状及び容積など人が圧迫感を感じない程度のものが好適に採用されるものでありここで特定はしない。
また、図４−２に示す壁ベンチ１４の設置角度や形状など多彩なデザインを採用することが好ましい。
近年、スマートフォンの使用によるストレートネック等の問題に好適に対応する設置角度が採用されることは当然である。
また、身体保持構造１の設置角度や形状など多彩なデザインを採用することが好ましい。
近年、スマートフォンの使用によるストレートネック等の問題に好適に対応する設置角度が採用されることは当然である。
【実施例２】
【００４１】
そもそも、一般の車両は、床面積に対し座席に着座出来る人数が限られ、車両空間の利用が効率的でなく、特に通勤用車両の混雑時の利用者の不満を招いている。
一方、航空機内では、狭い空間に多数の座席を配置しようと工夫を重ねているが、使用者間を縮めるために便利性が犠牲になると共に感染症の対策を困難にしている。
また、座席の構造及び構成は、馬車の時代から進歩せず、腰掛ける椅子及びソファーの延長であり、基本的な視点からの改良が欠如している。
つまり、座席での座位姿勢は、坐骨に重力が集中した姿勢が上半身を不安定にすると共に足を組む姿勢が示すように脚部１１ａや足部１１ｃには重力はほとんど影響せず、邪魔な部分と化し、通路を乱雑に占拠している。
また、各個人の不本意な身体接触の不快感は、人々の不安感を助長している。
そもそも、特に地下鉄車両では、ソファーや椅子を並べ狭い空間に多人数を収納する使用形態に合理性はなく抜本的な改良が問われている。
しかし、そこには、椅子やソファーなどの改良が日々続けられ今日に至っているが、腰掛ける構造そのものを問う視点はなかった。
私たちは、残念なことに、進化の過程である幼児期から腰掛けることを意識することもなく、加齢と共に腰から背中から首に至る疾患が蔓延しているにも係わらず、腰掛ける習慣を疑問視することはない。
【００４２】
本発明の身体保持構造１は、車両などの公的な交通機関の車内において、着座する利用者数を増加させ、通路における脚部や足部１の乱雑さを解消し、利用者同士の不快な接触を防止する、新規の車両用の座席を提供するものである。
本発明の身体保持構造１は、構造を特徴とするものであり、本実施例に示す例に特定も
限定もするものではなく、本発明の技術的思想を損なわなければ良い。
また、本発明の身体保持構造１は、適用する対象の構造の変革に寄与する構造であり、
多様なデザインが期待されるものである。
【００４３】
次に、図５を用いて実施例２である、角変部４で形成される身体保持構造１を車両用の座席１５として使用する例を示し説明する。
また、図５は、身体保持構造１を車両用の座席１５として使用する例を示す断面図であ
る。
【００４４】
次に、図５に示す座席１５は、対面式に設置する形式を採用し、上半身９が当接する上半身当接部２ｂと下半身１１が当接する下半身当接部２ａに角変部４で分割している身体当接部２を採用し、立位姿勢を受け止める仕様の例を示すものである。
また、図５に示す座席１５は、下半身当接部２ａが床面６から約６０°を採用し、上半身当接部２ｂが床面６から約８０°を採用している例を示しているが特定するものではない。
また、図５に示す座席１５に形成する手すり部１５ａは、使用者の着退席の便利性を図る目的と使用者間を隔てる目的で形成している例を示すものであるが、本数や形状など特定するものではなく既存の手段が好適に採用されるものである。
つまり、本発明の座席１５は、使用者の下半身９が通路に干渉しない構造であり、既存の車両に採用する際には空間の量が効率化するものである。
また、図５に示す座席１５は、素材に金属を使用している例を示しているが特定するものではなく、化学樹脂で透明感のある素材は空間を開放的にする効果があり、好適であり、既存の素材を利用するものであり特定するものではない。
また、保護にパッドなどを使用することも好適であり、既存の各種手段が採用され使用されることは当然である。
また、図５に示す座席１５は、身体７収まるサイズの空間を既存の基準から採用されるものであり、地域や文化に対応するサイズが好ましい。
【００４５】
また、図５に示す座席１５は、対面式の座席を示しているが、ボックスなど既存の形式に本発明の座席１５を採用することで、車内のデザインに変化を与えることを可能にするものである。
さらに、図５に示す座席１５は、角度や幅、クッションや素材の組み合わせが多彩の形状や機能を向上させることが出来るものであり、ここで特定するものではない。
本発明の構造は、昨今の使用者間の接触を嫌う風潮に対応する構造であり、新規の車内空間を創造するものである。
【実施例３】
【００４６】
本来、人間は、立位姿勢やしゃがむ姿勢での活動が主であり、休息時の姿勢もしゃがむ姿勢であり、横臥姿勢は睡眠時の体位であった。
そもそも、人間の成長は、横臥姿勢から寝返り、仰向けからハイハイ、つかまり立ちからヨチヨチ歩きへと変化し、いつの間にかしっかりと歩き立つことが自然に出来るように進化の過程を体現している。
そもそも、腰掛ける姿勢は、岩を加工し並べて使用されていたが、文明と共に椅子が発明され当初は特別な装置であり権力の象徴として短時間使用されていた。
現在、椅子は、あらゆる生活環境に置いて使用され充満し、進化の過程を体現している
幼年期から腰掛ける姿勢の生活を続けている。
問題は、幼年期からの腰掛ける姿勢は、十分に成長していない身体に対して適切である
のかの検証がなされていないことである。
【００４７】
一方、一般の椅子は、座面にクッションを装備し、腰を乗せ上半身を背もたれに凭れさせ、足部が床面に十分に接地しない状態で使用され、脚を組む姿勢など下半身は自由に動作するので上半身が不安定になり、結果、座位姿勢が乱れ疲労を招いている。
そこで、膝を曲げ脛で自重を支える椅子、座面が前方に傾斜する椅子、椅子に特殊なクッションを用いるなどの対策に人間工学が採用され、長年に至り多くの改良がなされ、腰周辺や首、背中などの疾患の予防対策が続けられているが、今日に至るまで多種多様なデザインが示しているように解決には至っていない。
問題は、椅子の構造が腰の構造に適応していないために、下半身が邪魔な部分になってしまうことである。
そもそも、椅子やソファーなどの改良に、腰掛ける構造そのものを問う視点が介在していない。
【００４８】
本発明の身体保持構造１は、既存の腰掛ける椅子の構造ではなく、立位姿勢を凭れさせる新規の構造で解決を図るものである。
本発明の身体保持構造１を採用する椅子は、既存の椅子が腰に１００％の重力を集中させている構造から開放するものであり、まず、身体を動揺から開放し、重力を足裏当接部３及び身体当接部２に分散させ、身体の疲労を軽減させるものである。
本発明の身体保持構造１は、構造を特徴とするものであり、実施例に示す例に特定も限
定もするものではなく、本発明の技術的思想を損なわなければ良い。
また、本発明の身体保持構造１は、適用する対象の構造の変革に寄与する構造であり、
多様なデザインが期待されるものである。
【００４９】
次に、図６を用いて実施例３である、角変部可動部５で形成される身体保持構造１を椅
子１６として使用する例を示し説明する。
また、図６に示す身体保持構造１は、新規の椅子１６として使用する例を示す断面図で
ある。
【００５０】
また、図６に示す椅子１６は、身体当接部２が下半身当接部２ａと上半身当接部２ｂに分割される部分に角変部可動部５を形成することを特徴とするものである。
また、図６に示す角変部可動部５は、下半身当接部２ａの角度から鉛直上向きに角度を回転させるものである。
また、図６に示す椅子１６は、下半身当接部２ａが床面６から約７０°に固定し、下半身当接部２ａと上半身当接部２ｂに分割される部分に角変部可動部５を形成している例を示し、床面６から鉛直上向きに形成された上半身当接部２ｂの角度を示すものである。
また、図６に示す椅子１６は、下半身当接部２ａの角度が約７０°の角度に特定するものではなく、身体７の屈曲角度が狭くなると腰部１０に対する負担が増加することに対応することは当然である。
つまり、下半身当接部２ａは、足裏当接部３が使用者の立位姿勢を受け止め、下半身当接部２ａが下半身１１を保持するので、既存の椅子の座面が与える坐骨に対する弊害を解消するものである。
また、図６に示す角変部可動部５は、可動の仕様など既存の仕様が採用されるものであり特定するものではない。
また、図６に示す角変部可動部５は、下半身当接部２ａの角度及び上半身当接部２ｂの角度をそれぞれ駆動させる手段を備えることは当接である。
また、図６に示す椅子１６は、スタンド部１６ｃに設置されている例を示しているが形状など既存の仕様が採用されるものであり特定するものではない。
また、図６に示す椅子１６は、下半身当接部２ａに使用者の身長に対応する伸縮部１６ｂを形成しているものを示しているが特定するものではなく、既存の手段から採用すれば良いが、本発明の特徴である足裏当接部３と身体当接部２が略直交する思想を損なう仕様は認めることは出来ない。
また、図６に示す椅子１６は、手すり部１６ａを形成している例を示しているが、使用者の便利性を向上させるものであるが形状など特定するものではない。
また、本発明は、構造を特徴とするものであり、図６に示す椅子１６の長さや幅、形状や素材、その他の付属する部材など特に示すものではなく、既存の仕様が好適に採用されるものである。
【実施例４】
【００５１】
例えば、組み立てラインでの作業は、立ち続ける姿勢が作業者には大きな負担であり、肉体的疲労と共に心的負担が深刻であるが社会的課題としての取り組みに伸展はない。
しかし、作業環境の改善は、現場でなされ、作業間の休憩時間の見直しや道具の改良、作業台の改善もなされているが、作業する身体が置かれている空間の改善が問われている。
つまり、人間の身体は、立位姿勢時には常に動揺し、運動しているのであり、運動しながら作業することは身体にとって二重の負担を与えていることに気づくべきである。
【００５２】
本発明の身体保持構造１は、立位姿勢の身体７を身体当接部２に凭れさせることで、身体の動揺から開放するものであり、作業する際には作業の負担だけに対応することを実現するものであり、肉体的な負担の軽減に寄与するものである。
【００５３】
次に、図７を用いて実施例４である、角変部可動部５で形成される身体保持構造１を作
業支持台１７として使用する例を示し説明する。
また、図７に示す身体保持構造１は、作業支持台１７として使用する例を示す断面図で
ある。
【００５４】
また、図７に示す作業支持台１７は、身体当接部２が下半身当接部２ａと上半身当接部２ｂに分割される部分に角変部可動部５を形成することを特徴とするものである。
また、図７に示す角変部可動部５は、下半身当接部２ａの角度から鉛直上向きに角度を回転させるものであり、予め上半身当接部２ｂの角度を選択し決定されている例を示すものである。
また、図７に示す作業支持台１７は、下半身当接部２ａが床面６から約７０°に設定し、下半身当接部２ａと上半身当接部２ｂに分割される部分に角変部可動部５を形成している例を示すものである。
また、図７に示す作業支持台１７は、上半身当接部２ｂの角度を下半身当接部２ａの角度の約７０°から、鉛直上向きする範囲の角度を自由に選択できるようにしたことを特徴とするものであり、角度が床面６から約８０°の上半身当接部２ｂの例を示すものである。
また、図７に示す作業支持台１７は、下半身当接部２ａの角度が約７０°の角度に特定するものではなく、身体７の前屈角度が大きくなると腰部１０に対する負担が増加することに対応することは当然である。
つまり、下半身当接部２ａは、足裏当接部３使用者の立位姿勢を受け止め、下半身当接部２ａが下半身１１を保持するので、既存の立位姿勢での作業の弊害を解決するものである。
また、図７に示す角変部可動部５は、可動の仕様など既存の仕様が採用されるものであり特定するものではない。
また、図７に示す作業支持台１７は、支持台１７ａ及び支持柱１７ｂで支持されている例を示しているが支持の仕様など特定するものではなく、身体当接部２と足裏当接部３が略直交することを担保することは当然である。
また、図７に示す作業支持台１７は、身体当接部２と足裏当接部３が略直交する部分に空隙部１７ｃを形成しているが、使用者の前部が当接する際に足部を好適な位置に配置出来るように使用されるものであり、形状や大きさなど特定するものではない。
また、図７に示す作業支持台１７は、上半身当接部２ｂの長さが短く使用者の下腹部に当接する仕様に形成されている例を示すものであり、特定するものではなく作業内容により求められる形状や長さなどが選択され採用されるものである。
また、図７に示す作業支持台１７は、一例に過ぎず多様なデザインが期待されるものである。
【実施例５】
【００５５】
例えば、既存のフィットネスの装置は、走る、歩く、ぶら下がる、床に座る、椅子に腰掛けて運動する、立って漕ぐ、座って漕ぐ、立って座って振動させる等の手段を用いて筋肉を鍛錬している。
また、バーベルなどの負荷を増加させる手段を用いる各種の身体鍛錬動を行うことで筋肉の鍛錬をしている。
また、筋肉の鍛錬以外にも心肺系の鍛錬やヨーガなどの精神面の鍛錬など、多くの人々に支持され、大規模なトレーニング施設や公園などで日々行われている。
一方、高齢者は、散歩や太極拳などの筋肉に大きな負荷を掛けない運動が中心である。
現在、心身の鍛錬は、筋肉の収縮や振動を利用する鍛錬から、ヨーガの流行が定着し、筋膜トレーニングと共に静止運動が提唱されている。
しかし、身体の鍛錬は、忍耐と持続する意思が求められ、長続きしないのが問題である。
【００５６】
では、何故、身体の筋肉を鍛錬する必要があるのだろうか。
それは、日々使用されない筋肉が衰えてしまい、身体を正常に維持する基礎代謝が低下するので、肥満の原因や成人病の原因になるからである。
そもそも、我々人間の筋骨系は、立って、歩いて、しゃがんで、横になる進化の過程で培った動作の基に獲得したものであり、筋肉の鍛錬に勤しんだ結果の筋骨系ではないのである。
つまり、今日の生活上の動作は、進化の過程の動作ではなく、元来の筋骨系の活用形態や使用時間でないことが原因であると推察するものである。
現在の各種トレーニングでの鍛錬が長続きしないのは、人間本来の日常の動作で蓄積される鍛錬ではなく、不自然でアンバランスな負荷が身体に与える危険性をはらんでいることを無意識に自覚しているからではないだろうか。
【００５７】
本発明の身体保持構造１は、今日までの持続出来ない鍛錬手段の原因を座位姿勢や横臥姿勢に求めるものである。
本発明は、重力と身体の関係を基本的な視点からの検証するものである。
本発明は、立位姿勢時の身体の動揺から身体を開放し、立位姿勢を維持しながら重力の押し圧を身体と足裏に分散させ、足裏に掛かる重力が立位姿勢を維持し、身体に掛かる重力が身体を押し圧することでアンバランスな姿勢を正常に導くものである。
【００５８】
次に、図８を用いて実施例５である、角変部可動部５で形成される身体保持構造１を姿
勢矯正装置１８として使用する例を示し説明する。
また、図８は、身体保持構造１を姿勢矯正装置１８として使用する例を示す断面図である。
【００５９】
次に、図８に示す姿勢矯正装置１８は、身体当接部２に身体７を凭れさすことで身体の動揺から開放し、下半身当接部２ａと上半身当接部２ｂが分割する部分に角変部可動部５を形成し、下半身当接部２ａと上半身当接部２ｂそれぞれを可動させることで、下半身当接部２ａと上半身当接部２ｂの角度を使用者の身体７の条件に対応する角度に設定することができるので、身体７に重力が押し圧し、身体７の前後の歪みを正常に矯正するものである。
また、身体７の左右の歪みは、モニター部１３ｅで視認しながら正し、各種のセンサー部１３ｄで関知することで正すことを可能にするものである。
さらに、各種のセンサー部１３ｄは、身体７の状態をモニターすることで日々の体調の変化を記録することを可能にするものである。
また、センサー部１３ｄは、センサー部１３ｄの種類や位置、数など経済性を基に決定されるものであり、ここで特定も限定もするものではなく、本実施例に詳細を記述すものではない。
また、図８に示す姿勢矯正装置１８は、基台部１８ｂに設置している例を示している。
また、図８に示す姿勢矯正装置１８は、身体当接部２が左右に二対の手すり部１８ａ、複数のセンサー部１８ｄ、一つのモニター部１８ｅ、内転防止部１８ｆを形成している例を示すものである。
また、図８に示す姿勢矯正装置１８は、使用者がうつ伏せで使用する際に使用する空隙部１８ｃを形成し使用者の便利性を向上させる例を示しているが、大きさや長さなど好適なサイズが採用されるもので在り特定するものではない。
また、図８に示す姿勢矯正装置１８は、手すり部１８ａは、形状や数など特定するものではなく既存の手段が好適に採用されるのは当然であり特定するものではない。
また、図８に示す姿勢矯正装置１８は、センサー部１８が、複数と表現するものであり、関知する内容の種類や設置する場所、数などここで詳しく示すことはしない。
つまり、図８に示す姿勢矯正装置１８は、本発明の技術的思想の部分的な実施例を示すものであり、経済性や対象者により関知する内容が異なることを前提とするもので特定するものではない。
また、図８に示す姿勢矯正装置１８は、モニター部１８ｅが既存の機材が好適に採用されるもので在り装着の仕様など特定するものではない。
また、図８に示す姿勢矯正装置１８は、足裏当接部３が内転防止部３ａを備え、使用者の足裏８を内転させない好適な構造を採用し使用者の姿勢を正常に保つことを担うものである。
また、図８に示す内転防止部１８ｆは、使用者の足裏８が内転した状態では正常な立位姿勢を保てないので、内転をさせない手段を講じるものであり、使用者が正常な立位姿勢を獲得することを目的とするものである。
また、図８に示す内転防止部１８ｆは、逆ハの字形状の凸体状に形成している例を示しているが特定するものではなく、断面形状において左右や前後の高さなどを変化させるなどの手段を備えることでＸ脚やＯ脚などの使用者の足裏８の状態に対応する形状が好適に採用されるものである。
また、本発明の身体保持構造１は、角変部可動部５が自動的に駆動する手段を備えた例を示しているが、経済性に配慮して手動で操作しても良く特定するものではない。
また、センサー部１８ｅは、簡易的仕様の場合には設けなくても良い。
【００６０】
次に、図８に示す姿勢矯正装置１８の使用形態は、身体当接部２に身体７を凭れさせ身体の動揺から開放する状態で保持することを特徴とするものである。
さらに、図８に示す姿勢矯正装置１８は、身体７が身体当接部２と略直交する足裏当接部３に足裏８が当接し立位姿勢で保持することを特徴とするものである。
この特徴が、既存の運動装置と異なり、凭れる立位姿勢が新規の技術的思想を基にする姿勢矯正装置１８を提供するものである。
つまり、図８に示す姿勢矯正装置１８は、横臥姿勢での鍛錬が身体７の各体節がバラバラの状態であり、一つの体節の運動を始めるとその動きに他の体節が引きずられ、一つの体節の運動自体が中途半端な運動になり、他の体節に余計な負荷を与える危険性を伴っている。
本発明の姿勢矯正装置１８は、身体当接部２に身体７を当接させ、足裏当接部３が略直交させた身体７を立位姿勢の状態で重力を身体当接部２と足裏当接部３に分散させるものであり、身体当接部２の角度が身体７に掛かる重力の加減を決めるものであり、使用者は身体当接部２に身体７を当接させ、角度を選択することで好適な押し圧を選択し重力が身体７を矯正するものである。
この際に、特に上半身９に集中している姿勢の歪みは、身体の前後の歪みである猫背が示すように、身体当接部２の角度の選択により使用者の好適な重力を選択し、凭れた状態で重力が矯正するものである。
また、身体７の左右の歪みは、近年増加傾向にあり、モニター１８ｅで確認しながら調節することが可能であるが、他者の手を借りることがより効果的である。
本発明の姿勢矯正装置１８は、立位姿勢で身体の動揺から開放された身体７を基に鍛錬するものであり、立位姿勢を維持した状態で各体節に押し圧する重力を身体当接部２の角度を変えることで選択し、その状態で各体節を運動させることを可能にするものである。
また、図８に示す姿勢矯正装置１８は、静止運動がより効果的であることを証明するものである。
【実施例６】
【００６１】
例えば、介護施設での入浴は、介護者にとっては心身共にリラック出来る貴重な時間である。
しかし、介助者が複数人立ち会い、介助者の身体を抱え、支え、洗いなど人員と手間が掛かるために十分な対応が出来ていない現状であり、熟練した介助者でも時として介護者を滑らせてしまう事故を経験している。
そもそも、入浴は、第一に清潔性の確保を目的とするもので、湯船につかる効果は絶大であるが、湯船の中に浮いてしまい不安定な感覚は介護者を不安にさせてしまう。
また、湯船の清潔性は、大変な手間と時間を消費してしまう。
また、介護者は、立つことがおぼつかなく身体は不安定であり、滑る危険性があり、どうしても複数の人員を擁してしまう。
一方、寝たきりの介護者は、専用の湯船で入浴しているが、湯船の清潔性の確立も大変な手間と時間を消費してしまい、入浴の回数が限られている。
現在、介護者の快適な入浴環境を維持すると共に介助者の負担を軽減する安価で簡易な装置が求められている。
一方、高齢者の浴槽での死亡事故が多発し、在宅での介護者では入浴することを断念している人も見受けられ、高齢化社会での身体の清潔制の確保は今後の大きな課題として取り組むことが求められている。
【００６２】
まず、図９を用いて実施例６である、角変部可動部５で形成された身体保持構造１を介
護用シャワー装置１９として使用する例を示し説明する。
また、図９は、身体保持構造１を介護用シャワー装置１９として使用する例を示す断面
図である。
【００６３】
次に、図９に示す介護用シャワー装置１９は、本発明の身体保持構造１にシャワー部１９ｂを装着し、介護者が下半身当接部２ａ及び上半身当接部２ｂに分割されている身体当接部２に凭れ、下半身当接部２ａ及び上半身当接部２ｂの角度を介護者が安心できる位置に傾斜させることが出来るので、身体７にシャワーを掛け、介助者が洗浄を介助する使用形態の例を示すものである。
また、図９に示す介護用シャワー装置１９は、身体当接部２の角変部可動部５を左右の駆動部１９ｄで上下に動かすことができるようにしたので、略直立状態した身体当接部２に介護者が凭れ傾斜させることで、不安感を抱かずに使用することを可能にするものである。
また、図９に示す介護用シャワー装置１９は、立位姿勢を傾斜させるので、足裏８に掛かる重力を軽減するので、どうにか立つことができる介護者に好適である。
また、図９に示す介護用シャワー装置１９は、角変部可動部５で下半身当接部２ａ及び上半身当接部２ｂの角度をそれぞれ変えることができるので、介護者の求める角度が好適な使用を実現するものである。
また、図９に示す介護用シャワー装置１９は、低い広い床支持部１９ｃが駆動部１９ｄを支える仕様のものを示しているが、介護用シャワー装置１９は本実施例に特定するものではない。
また、図９に示す身体当接部２は、左右に手すり部１９ａを二対形成し、シャワー部１９ｂを左右に四対、足裏当接部３に一つ形成しているが、数や形状など特定するものではない。
また、図９に示す介護用シャワー装置１９は、本発明の身体保持構造１の特徴である、使用者が凭れ、身体７と足裏８に重力を分散するので、下半身１１が特に弱った使用者の場合には下半身当接部２ａの角度を低くし、上半身当接部２ｂを高くすると使用者に安心感を与えるなど使用者の状態に対処し対応することを可能にするものである。
例えば、下半身１１が弱った使用者は、傾斜角度を約２０°程度が好適であるが、上半身９が寝た状態では不安になるので上半身９の角度を約４０°にすることで不安を解消し、使用者の状態に適した上半身９や下半身１１の角度を自由に選択することができるようにしたものである。
また、図９に示す介護用シャワー装置１９は、身体当接部２に身体７が水流を感じる構造や身体７全体にシャワーが当たる機能など既存の手段が好適に選択され使用されることは当然であり、身体当接部２の表面の形状や構造や、素材など特定するものではない。
また、使用者の背部からシャワーが当たる構造などデザイン性を発揮できるものである。
また、図９に示す介護用シャワー装置１９は、介助者が付き添い使用を介助することは当然であり、ハンドシャワーの使用は当然でありここで明記していない。
【実施例７】
【００６４】
例えば、空港施設内において、上級クラスの利用者は食堂やラウンジ、シャワー室や仮
眠室などを使用出来るが、一般の利用者はベンチスタイルの椅子や床で休息や睡眠をとっ
いる。
近年、一部で睡眠装置が採用されているが、狭いベッドを覆ったスタイルが一般的であ
り、カプセルホテルを個別に並べた仕様はせまい空間にただ横になるだけの構造である。
つまり、限られた時間の中での睡眠と覚醒の環境とは言いがたい。
一方、企業内で作業する場合、一定時間が経過すると休憩時間が割り当てられ、疲労を回復し作業の効率を向上させることは一般化している。
さらに、食後の睡眠が提唱され、昼寝用の具材も多数利用され、気分転換に軽い運動も実行されていて、ベッドを備えた睡眠室での疲労回復が提唱されている。
そもそも、現在の我々は、肉体労働は別として、疲労の原因が座位姿勢を維持する代謝熱量であり、アンバランスな姿勢が代謝熱量を増大させ、さらに、座位姿勢が消費する代謝熱量と共に各筋肉の緊張を持続させる姿勢が慢性化しているからではないだろうか。
つまり、我々の身体は、座位姿勢に対応する構造では無く、長時間の座位姿勢は、重い頭部を短い距離の腰部が支え、さらに、身体の動揺にも対処し続けているので、椅子に座り続けることは、疲労を蓄積していることになり、ただ横になる現在の各種対策では基本的な解決には至らないと考察するものである。
また、ベッドでの横臥姿勢は、身体の各体節に常に重力が押し圧し続けているので、各筋肉が衰えた状態では効果的な休息とは言えず、昨今の睡眠不足の原因ではないかと推察される。
つまり、立位姿勢で形成された本来の筋骨系を備えた身体での睡眠であれば問題はないが、アンバランスな筋骨系で、さらに、衰えた筋肉で構成された各体節が重力に対抗しながら横臥姿勢で休息することは可能であろうか。
そもそも、睡眠の問題は、睡眠する場所や時間が本来の睡眠時刻と関連せず、各人の多
様な生活環境や各種条件に左右され、就眠や熟睡と目覚めのコントロールを各個人の管理下で実行するには不安定な条件下に生活している。
つまり、現在の環境は、生物として生活する基本適な条件が存在せず、各睡眠対策の解
決法そのものが機能できず、基本的な視点からの解決法が求められている。
【００６５】
本発明の身体保持構造１は、座位姿勢や横臥姿勢の休息ではなく、立位姿勢時の一体となっている各体節で凭れるので、身体７が身体の動揺から開放されるので、立位姿勢でもなく横臥姿勢でもない新規の姿勢で睡眠することを創造するものである。
本発明の身体保持構造１は、睡眠装置として、身体７をゆっくりと傾斜させることで就眠に誘い、ゆっくりと起上させることで覚醒させる新規の装置を提供するものである。
本発明の睡眠装置２０は、既存の睡眠の方法である横になる単純な手法から離脱するものであり、使用者が求める便利性を確立するものである。
本発明は、就眠に誘い覚醒に誘う睡眠装置として、新規の構造と機能を提供するものである。
【００６６】
次に、図１０を用いて実施例８である、角変部可動部５で形成される身体保持構造１を睡眠装置２０として使用する例を示し説明する。
図１０は、身体保持構造１を睡眠装置２０として使用する例を示す断面図である。
【００６７】
まず、図１０に示す睡眠装置２０は、身体当接部２が下半身当接部２ａと上半身当接部
２ｂに分割されている部分に角変部可動部５を形成し、角変部可動部５が下半身当接部
と２ａと上半身当接部２ｂが駆動部２０ａで駆動され、各駆動部２０ａが可動部支持台２０ｂに収納され支持されている例を示すものである。
また、図１０に示す睡眠装置２０は、角変部可動部５を昇降させることで身体当接部２の角度の選択を好適に補助するものである。
また、図１０に示す睡眠装置２０は、下半身当接部２ａが床面６から９０°＜０°の
範囲内を可動し、上半身当接部２ｂが下半身当接部２ａの角度から鉛直上向きするの範囲内を可動させることを特徴とするものである。
また、図１０に示す睡眠装置２０は、角変部可動部５が駆動装置を備え、下半身当接部
２と上半身当接部２ｂをそれぞれが個別に駆動させることで、身体当接部２を使用者が求める角度に変形するものである。
また、図１０に示す睡眠装置２０は、角変部可動部５を駆動させる駆動装置が既存の装置から好適に選択使用されるものであり特定するものではない。
また、図１０に示す睡眠装置２０は、駆動部２０ｂが既存の装置から好適に選択使用されるものであり特定するものではない。
また、図１０に示す睡眠装置２０は、下半身当接部２ａの角度が約２０°、上半身当接
部２ｂの角度が約４０°のものを示し、好適な角度の例を示すものである。
また、図１０に示す睡眠装置２０は、具体的な装備など示していないが使用者の便利性を考慮し既存の装備を形成することは当然であり、特定も限定もするものではない。
また、図１０に示す睡眠装置２０は、素材やサイズなど身体７を支える強度及び安全性など考慮する仕様を追加するなど既存の手段から好適に選択され採用することは当然である。
また、図１０に示す睡眠装置２０は、傾斜速度や戻す速度など好適に選択出来ることは当然であり、下半身当接部２ａ及び上半身当接部２ｂの角度を選択することが出来るので、使用者の求める睡眠の姿勢に柔軟に対応することを可能にするものである。
さらに、使用者は、各個人が選択する角度の記録を活用することで便利性を向上させることが可能であるが特定するものではない。
また、図１０に示す睡眠装置２０は、素材やサイズなど身体７を支える強度及び安全性など考慮する仕様を追加するなど既存の手段から好適に選択され採用することは当然である。
また、図１０に示す睡眠装置２０は、使用者の身体保護を目的とする既存のマットなどを使用することは当然でありここで説明はしない。
さらに、安全面の装置の形成は必然である。詳細については、既存の手段から採用され使用することは当然である。
本発明の身体保持構造１を睡眠装置２０として使用する特徴は、使用者が睡眠装置２０に凭れ身体７を委ねると指定された時間を配分し、徐々に倒して行き、徐々に起き上がる使用形態が可能であり、就眠を誘い覚醒を優しくサポートする新規の装置を提供するものである。
また、図１０に示す睡眠装置２０は、簡易な図面で説明するものであり、既存の技術を適用すれば良く、本発明の技術的思想を損なわないし手段が好適に採用されるのは当然である。
つまり、本発明は、構造を特徴とするものであり、前記に記載されている実施例においても具体的記述に特定も限定もするものではない。
【符号の説明】
【００６８】
１・・・身体保持構造
２・・・身体当接部
２ａ・・下半身当接部
Ａ・・・下半身当接部の角度
２ｂ・・上半身当接部
Ｂ・・・上半身当接部の角度
２ｃ・・空隙部
３・・・足裏当接部
３ａ・・内転防止部
４・・・角変部
５・・・角変部可動部
６・・・床面
６ａ・・壁
６ｂ・・支柱
７・・・身体
７ａ・・仙骨部
７ｂ・・重心線
８・・・足裏
９・・・上半身
９ａ・・頭部
９ｂ・・首部
１０・・腰部
１１・・下半身
１１ａ・脚部
１１ｂ・膝部
１１ｃ・足部
１２・・上肢部
１３・・壁ベンチ
１３ａ・手すり部
１３ｂ・中心線
１４・・壁ベンチ
１４ａ・手すり部
１５・・座席
１５ａ・手すり部
１６・・椅子
１６ａ・手すり部
１６ｂ・伸縮部
１６ｃ・スタンド部
１７・・作業支持台
１７ａ・支持台
１７ｂ・支持柱
１７ｃ・空隙部
１８・・姿勢矯正装置
１８ａ・手すり部
１８ｂ・基台部
１８ｃ・空隙部
１８ｄ・センサー部
１８ｅ・モニター部
１８ｆ・内転防止部
１８ｇ・駆動部
１９・・介護シャワー装置
１９ａ・手すり部
１９ｂ・シャワー部
１９ｃ・床支持部
１９ｄ・駆動部
２０・・睡眠装置
２０ａ・駆動部
２０ｂ・駆動部支持台
【要約】      （修正有）【課題】立位姿勢の身体を傾斜させ保持する構造を提供する。【解決手段】身体保持構造１は、使用者の立位姿勢の身体７を傾斜させ保持する身体保持構造であって、身体保持構造は、使用者の身体が当接する身体当接部２と、使用者の足裏８が当接する足裏当接部３と、からなり、身体当接部は、足裏当接部と略直交して形成され、足裏当接部は、使用者の足裏よりも大きく形成され、身体当接部は、身体の仙骨部７ａが位置する部分に角変部４を形成し、角変部は、身体当接部を身体の下半身部１１が当接する下半身当接部２ａと、身体の上半身部９が当接する上半身当接部２ｂに分割し、下半身当接部の角度は、床面６から９０°＜０°の角度内のいずれかであり、上半身当接部の角度は、下半身当接部の角度から上向き略鉛直の角度内のいずれかであり、下半身当接部と上半身当接部は、連続して形成されることを特徴とする。【選択図】図１【図１】
0006884944.tif 000002
【図２】
0006884944.tif 000003
【図３】
0006884944.tif 000004
【図４】
0006884944.tif 000005
【図５】
0006884944.tif 000006
【図６】
0006884944.tif 000007
【図７】
0006884944.tif 000008
【図８】
0006884944.tif 000009
【図９】
0006884944.tif 000010
【図１０】
0006884944.tif 000011